(57)【特許請求の範囲】
【請求項１】
本体部と、
前記本体部に回動可能に連結された複数本の長尺のアーム部であって、当該本体部の軸心を中心に放射方向に展開したものとを有する物掛け具であって、
前記アーム部は、上側把持部と、下側把持部と、当該上側把持部及び下側把持部を、共通の回動軸で相対回動可能に軸支された、少なくとも回動の高さ位置が不変の第１軸着部とを備え、
かつ、前記第１軸着部を中心として前記上側把持部と下側把持部を互いに接離させる開閉動作を行うものであり、
前記本体部は、長尺の軸部と、当該軸部に対し上下に昇降可能に外嵌された筒状の外筒部とを備えるものであり、
前記外筒部は、前記上側把持部が回動自在となる様に、当該上側把持部の基端部に連結された第２軸着部を有しており、
前記外筒部が下降した場合には、前記第２軸着部も下降し、これにより前記上側把持部が前記第１軸着部を軸に回動して前記下側把持部から離間し、
前記外筒部が上昇した場合には、前記第２軸着部も上昇し、これにより前記上側把持部が前記第１軸着部を軸に回動して前記下側把持部に接触する物掛け具。
【請求項２】
前記本体部は、前記外筒部を外装する外装部をさらに備え、
前記外筒部の外周面には突出部が突設されると共に、
前記外装部には、前記外筒部の昇降方向に延在し、かつ、前記突出部を突出させた状態で当該外筒部の昇降を可能にするガイドスリットが設けられており、
さらに、前記外装部には、前記外装部に対し滑動させることにより、前記ガイドスリットの少なくとも一部を閉塞する係止部材が設けられており、前記係止部材により、前記突出部を係止させ、前記外筒部の昇降動作を規制する請求項１に記載の物掛け具。
【請求項３】
前記上側把持部における第１軸着部から先端部までの長さは、前記下側把持部よりも短く、
前記上側把持部における第１軸着部と先端部の間の幅は、前記下側把持部よりも狭い請求項１又は２に記載の物掛け具。
【請求項４】
前記軸部の先端には、前記本体部を吊り下げ可能にするフック部が設けられており、前記フック部における鉤状の円弧部の内周面には滑り止め部材が設けられている請求項１〜３の何れか１項に記載の物掛け具。
【発明の詳細な説明】
【技術分野】
【０００１】
本発明は、複数のアーム部を有し、一度に多くの洗濯物等を掛けることのできる物掛け具に関する。
【背景技術】
【０００２】
一般に、一度に多くの洗濯物を干すことのできる物干しとして、パラソルハンガーと称されている物干し具が利用されている。
【０００３】
例えば、下記特許文献１には、複数本の物干し杆と、これら物干し杆を連結支持するための連結支持部材を有する支持杆とが備えられた物干し具が開示されている。前記連結支持部材には、物干し杆の長さ方向一端に設けた連結環が連結されるリング部材と、このリング部材に連結された物干し杆の連結環を回転可能に受ける受け部材と、連結環を前記受け部材とで上下から挟む挟持部材とが備えられている。そして、受け部材と挟持部材とにより、連結環をその上下から挟んで、物干し杆を支持杆に対して折り畳み位置と展開位置とに揺動可能とすると共に、折り畳み位置では、隣接する物干し杆の側面同士が接触するように構成されている。
【０００４】
また物干し杆の長さ方向両端部には、この物干し杆とで洗濯物を弾性的に挟持するためのクリップ片がそれぞれ一体形成され、これらクリップ片は、その遊端側が物干し杆に対して離間する方向に弾性的に変形可能とすると共に、常時はその遊端部が物干し杆に弾接するようにしている。
【０００５】
しかしながら、特許文献１の物干し具では、洗濯物を物干し杆に掛ける際、洗濯物を物干し杆の両端にあるクリップ片にそれぞれ挟持させなければならず、物干し杆に掛ける作業時間が長くかかる。また、物干し杆に掛けられた洗濯物を取り外す際にも、各物干し杆から、クリップ片に挟持されている洗濯物を外さなければならず、物干し杆から取り外す作業時間が長くかかる。
【先行技術文献】
【特許文献】
【０００６】
【特許文献１】特開２００８−１４２３７７号公報
【発明の概要】
【発明が解決しようとする課題】
【０００７】
本発明は、上記課題に鑑みてなされたものであり、その目的は、洗濯物等を短時間で簡便に掛け外しすることができ、作業効率に優れた物掛け具を提供することにある。
【課題を解決するための手段】
【０００８】
本願発明者は、前記問題点を解決すべく、物掛け具について検討した結果、下記構成を採用することにより前記の問題点を解決できることを見出して、本発明を完成させるに至った。
【０００９】
本発明の物掛け具は、本体部と、前記本体部に回動可能に連結された複数本の長尺のアーム部であって、当該本体部の軸心を中心に放射方向に展開したものとを有する物掛け具であって、前記アーム部は、上側把持部と、下側把持部と、当該上側把持部及び下側把持部を、共通の回動軸で相対回動可能に軸支された、少なくとも回動の高さ位置が不変の第１軸着部とを備え、かつ、前記第１軸着部を中心として前記上側把持部と下側把持部を互いに接離させる開閉動作を行うものであり、前記本体部は、長尺の軸部と、当該軸部に対し上下に昇降可能に外嵌された筒状の外筒部とを備えるものであり、前記外筒部は、前記上側把持部が回動自在となる様に、当該上側把持部の基端部に連結された第２軸着部を有しており、前記外筒部が下降した場合には、前記第２軸着部も下降し、これにより前記上側把持部が前記第１軸着部を軸に回動して前記下側把持部から離間し、前記外筒部が上昇した場合には、前記第２軸着部も上昇し、これにより前記上側把持部が前記第１軸着部を軸に回動して前記下側把持部に接触するものである。
【００１０】
前記の構成に於いて、前記本体部は、前記外筒部を外装する外装部をさらに備え、前記外筒部の外周面には突出部が突設されると共に、前記外装部には、前記外筒部の昇降方向に延在し、かつ、前記突出部を突出させた状態で当該外筒部の昇降を可能にするガイドスリットが設けられており、さらに、前記外装部には、前記外装部に対し滑動させることにより、前記ガイドスリットの少なくとも一部を閉塞する係止部材が設けられており、前記係止部材により、前記突出部を係止させ、前記外筒部の昇降動作を規制することが好ましい。
【００１１】
前記の構成に於いて、前記上側把持部における第１軸着部から先端部までの長さは、前記下側把持部よりも短く、前記上側把持部における第１軸着部と先端部の間の幅は、前記下側把持部よりも狭いことが好ましい。
【００１２】
前記の構成に於いて、前記軸部の先端には、前記本体部を吊り下げ可能にするフック部が設けられており、前記フック部における鉤状の円弧部の内周面には滑り止め部材が設けられていることが好ましい。
【発明の効果】
【００１３】
本発明は、前記に説明した手段により、以下に述べるような効果を奏する。即ち、本発明の物掛け具によれば、本体部に回動可能に連結された複数本の長尺のアーム部が、外筒部が昇降することによって、少なくとも回動の高さ位置が不変の第１軸着部を中心として上側把持部と下側把持部を互いに接離させる開閉動作を行うことができる。これらの動作を行うことによって、筒状の外筒部に連結された複数のアーム部が同時に開閉するため、効率よく物を掛けることができ、かつ掛けた物を効率よく取り外すことができる。
【図面の簡単な説明】
【００１４】
【図１】本発明の実施の形態に係る物掛け具を模式的に表す斜視図である。
【図２】前記物掛け具におけるアーム部及び本体部の部分拡大した斜視図である。
【図３】前記物掛け具におけるアーム部を説明するための概略図であって、同図（ａ）は側面図を表し、同図（ｂ）は上面図を表す。
【図４】前記アーム部における上側把持部と下側把持部の開閉動作を説明するための概略図であって、同図（ａ）は上側把持部と下側把持部が閉じている状態を表し、同図（ｂ）は、上側把持部と下側把持部が開いている状態を表す。
【図５】前記物掛け具における突出部と係止部材の部分拡大図であって、同図（ａ）は、係止部材により突出部の下降が規制されている状態を表し、同図（ｂ）は、突出部が係止部材により規制されていない状態を表す。
【発明を実施するための形態】
【００１５】
本発明の実施の形態について、図１〜図５を参照しながら以下に説明する。但し、説明に不要な部分は省略し、また説明を容易にする為に拡大または縮小等して図示した部分がある。
【００１６】
図１は、本発明の実施の形態に係る物掛け具を模式的に表す斜視図である。図１に示すように、本実施の形態の物掛け具１は、本体部１３と、本体部１３に回動可能に連結された長尺のアーム部１１とを少なくとも有する。各アーム部１１は、本体部１３に回動可能に設けられており、当該本体部１３の軸心を中心に放射方向に展開することができる。ここで、前記回動可能とは、本体部１３の軸心を中心に放射方向に展開しているアーム部１１において、本体部１３に連結していない自由端側が当該本体部１３に接近する方向に回動することを意味する。また、前記放射方向とは、アーム部１１の前記自由端側が本体部１３の軸心から遠ざかる方向を意味する。      
【００１７】
まず、アーム部１１について、図１〜図３を参照しながら説明する。図２は、物掛け具１におけるアーム部１１及び本体部１３を部分的に拡大した斜視図であり、説明のため便宜上一つのアーム部１１及び第２軸着部１１５のみ図示されている。図３は、前記物掛け具１におけるアーム部１１を説明するための概略図であって、同図（ａ）は側面図を表し、同図（ｂ）は上面図を表す。図１〜図３に示す様に、アーム部１１は、上側把持部１１１と、下側把持部１１２と、上側把持部１１１及び下側把持部１１２を、相対回動可能に軸支する共通の回動軸１１６を備える第１軸着部１１４とを備える。また、アーム部１１は、本体部１３に１０本設けられている。但し、アーム部１１の本数は特に限定されず、適宜必要な本数に設定することができる。
【００１８】
上側把持部１１１は長尺状であり、この先端部と基端部（先端部とは反対側の端部）の間に設けられた第１軸着部１１４の回動軸１１６により軸支されている。また、上側把持部１１１の基端部は、第２軸着部１１５(後述する)に連結されている。回動軸１１６により軸支されている位置については特に限定されないが、上側把持部１１１の先端部から第１軸着部１１４までの間に、洗濯物等の物掛けが可能な程度に先端部から離間していることが好ましい。
【００１９】
下側把持部１１２は、上側把持部１１１と同様に長尺状である。下側把持部１１２は、その基端部（下側把持部１１２の先端部とは反対側の端部）において、第１軸着部１１４の回動軸１１６により軸支されている。
【００２０】
上側把持部１１１における第１軸着部１１４から先端部までの長さａ２は、図３に示す様に、下側把持部１１２の全体長さａ１よりも短くなっている。これにより、洗濯物等の取り外しを容易にすることができる。但し、本発明はこれに限定されるものではなく、洗濯物等の把持を可能にすると共に、脱落を防止できる範囲内で、前記ａ１及びａ２をそれぞれ任意に設定することができる。より具体的には、ａ１及びａ２の比は、ａ２：ａ１＝０．６：１〜０．９：１の範囲が好ましく、ａ２：ａ１＝０．７：１〜０．８：１の範囲がより好ましい。
【００２１】
更に、図２に示す様に、下側把持部１１２の先端部は、上方に向かって屈曲し傾斜している。これにより、アーム部１１が開いた状態のときに、下側把持部１１２に掛けた洗濯物等が、下側把持部１１２の先端から滑り落ちるのを抑えることができる。屈曲部分は、上側把持部１１１と下側把持部１１２が閉じた場合に、当該上側把持部１１１の先端部が下側把持部１１２と接する位置に設けられている。但し、本発明は、これに限定されず、屈曲部分は、前記位置から下側把持部１１２の先端までの間の任意の位置に設定することができる。また、下側把持部１１２は、少なくとも、洗濯物等を掛ける下側把持部１１２の先端部の上面が傾斜しておればよい。即ち、下側把持部１１２の先端部が全体として傾斜しているものに限らず、下側把持部１１２の上面のみが先に向かうに従い肉厚になる様に傾斜した態様でもよい。
【００２２】
また、上側把持部１１１における第１軸着部１１４から先端部までの間の幅ｂ２は、下側把持部１１２の幅ｂ１よりも狭くなっている。これにより、把持部分が、より乾き易く、把持じわや跡をより少なくすることができる。但し、本発明はこれに限定されるものではなく、前記ｂ１及びｂ２は、それぞれ任意に設定することができる。通常は、ｂ１及びｂ２の比は、ｂ２：ｂ１＝１／３：１〜１：１の範囲であり、好ましくは、ｂ２：ｂ１＝１／２：１〜２／３：１の範囲である。
【００２３】
一方、第１軸着部１１４における、上側把持部１１１の第１軸着部１１４に軸支されている部分の幅ｂ３は、下側把持部１１２の第１軸着部１１４に軸支されている部分（基端部）の最外幅ｂ１の１／３の幅となっている。また、第１軸着部１１４における、第１軸着部１１４に軸支されている部分（基端部）の下側把持部１１２の両端部の幅ｂ４は互いに等しくなっている。これにより、機械的強度を維持しつつ、第１軸着部１１４における上側把持部１１１と下側把持部１１２の軸支を可能にしている。
【００２４】
また、上側把持部１１１には、上側把持部１１１及び下側把持部１１２が閉状態のときに接触する面に、脱落防止部材１１３が設けられている。これにより、洗濯物等の脱落を一層防止することができる。脱落防止部材１１３を構成する材料としては、洗濯物等に対し摩擦抵抗が大きいものであれば特に限定されず、例えば、ゴム等が挙げられる。
【００２５】
アーム部１１の第１軸着部１１４は、上側把持部１１１と下側把持部１１２を、共通の回動軸１１６で相対回動可能に軸支している。これにより、第１軸着部１１４は、上側把持部１１１と下側把持部１１２を相対的に回動させ、互いに接離させて開閉動作を可能にしている。また、第１軸着部１１４は、その回動の高さ位置が少なくとも不変となる様に設けられている。従って、第１軸着部１１４は、水平方向においては、軸部１７に向かう方向及び離れる方向に移動可能に設けられていてもよい。また、第１軸着部１１４の大きさは特に限定されず、諸条件に合わせて適宜設定すればよい。
【００２６】
次に、本体部１３について、図１及び図２を参照しながら詳しく説明する。本体部１３は、長尺の軸部１７と、当該軸部１７を外嵌した筒状の外筒部１４とを少なくとも有する。また、本体部１３は、外筒部１４を外装するための外装部１３１を有している。
【００２７】
軸部１７は、物掛け具１の中心に位置し、本体部１３の軸心としての機能を果たすものである。軸部１７は、上側軸部１７１と下側軸部１７２の２つの棒状部材が接合されて構成される。上側軸部１７１と下側軸部１７２の接合位置は特に限定されないが、本実施の形態においては、外装部１３１の下端近傍に設けられている。これにより、上側軸部１７１と下側把持部１７２を分離して物掛け具１を物干し竿等に吊り下げる際に、当該上側軸部１７１が邪魔になるのを防止することができる。
【００２８】
軸部１７は円筒状であるが、本発明はこれに限定されず、円柱状等の種々の形状を採用することができる。また、軸部１７の直径及び長さも特に限定されず、物掛け具１の使用条件に合わせて適宜設定すればよい。
【００２９】
また、上側軸部１７１の先端にはフック部２３が設けられている。フック部２３は鉤状の円弧部を有しており、当該円弧部を竿等に引っ掛けることにより、物掛け具１を吊り下げ可能にする。さらに、前記円弧部の内周面には滑り止め部材２３１が設けられている。これにより、物掛け具１の落下を一層防止することができる。滑り止め部材２３１の材質は、滑り止めの作用を有するものであれば特に限定されない。具体的には、例えば、ゴム等が挙げられる。滑り止め部材２３１の形成位置や範囲は、竿等に引っ掛ける際に、当該竿等に少なくとも接触する部分であれば特に限定されないが、円弧部の内周面の全範囲に設けることが好ましい。また、フック部２３の厚さ及び大きさは特に限定されず、物掛け具１を竿等に引っ掛ける際の機械的強度等を考慮して設定すればよい。
【００３０】
下側軸部１７２の下端には支持台２１が取り外し可能に接合されている。これにより、物掛け具１を地面に載置して作業をすることができる。
【００３１】
外筒部１４は、軸部１７に対し上下に昇降可能に外嵌している。外筒部１４は、円筒状の外筒部本体１４１と、当該外筒部本体１４１の上端に各アーム部１１に対応して設けられた連結部１４２と、当該連結部１４２を介して接続された第２軸着部１１５とを有する。また、外筒部本体１４１はその外周面に突設された突出部１３５を有する。
【００３２】
外筒部本体１４１は、円筒状を有しているが、本発明はこれに限定されない。但し、外筒部本体１４１の内形は、軸部１７の外形に対応して設定する必要があり、これにより当該軸部１７に対し上下に昇降可能にする。外筒部本体１４１の外形は特に限定されず、任意の形状を採用することができる。外筒部本体１４１の厚さは、特に限定されないが、第２軸着部１１５が設置可能な程度に機械的強度を確保できる範囲であることが好ましい。
【００３３】
第２軸着部１１５は連結部１４２に対し、上側把持部１１１が回動可能となる様に設けられるものである。第２軸着部１１５では、連結部１４２は上側把持部１１１の基端部によって挟持されている。これによって、昇降時の上側把持部１１１の揺れを抑えることができる。上側把持部１１１の基端部は、第２軸着部１１５から更に延長されるが、その延長の長さは、第２軸着部１１５を上下に昇降させるためには、軸部１７と第２軸着部１１５の隙間よりも短くすることが好ましい。
【００３４】
突出部１３５は、図２及び図４に示す様に、外筒部本体１４１の外周面に２か所突設されている。図４は、アーム部１１における上側把持部１１１と下側把持部１１２の開閉動作を説明するための概略図であって、同図（ａ）は上側把持部１１１と下側把持部１１２が閉じている状態を表し、同図（ｂ）は上側把持部１１１と下側把持部１１２が開いている状態を表す。突出部１３５を外筒部本体１４１の外周面に２か所突設することにより、外筒部本体１４１の上下に昇降する動きを安定して規制することができる。但し、突出部１３５の突設数はこれに限定されず、突出部１３５は、外筒部本体１４１の外周面に、少なくとも１か所設けられていればよい。突出部１３５の突設場所は特に限定されず、突出部１３５は、外筒部本体１４１の外周面の任意の場所に突設される。なお、図４においては、説明の容易化のため、便宜上一つのアーム部１１と第２軸着部１１５のみ図示している。
【００３５】
突出部１３５は、図２及び図４に示す様に、四角柱形状を有しているが、本発明はこれに限定されず任意の形状でよい。突出部１３５の大きさは、外装部１３１における後述するガイドスリット１３２から突出する程度であれば特に限定されない。また、突出部１３５は、外筒部本体１４１と外筒部本体１４１に設置される第２軸着部１１５の全重量を受け止めることができる機械的強度を有していることが好ましい。これにより、確実に外筒部本体１４１の上下に昇降する動きを規制することができる。
【００３６】
連結部１４２は棒状部材からなり、外筒部本体１４１の上端において、垂直方向に延在して設けられている。また、連結部１４２は、各アーム部１１に対応して設けられており、外筒部本体１４１と第２軸着部１１５を連結している。連結部１４２の長さは、外筒部１４の上下方向への昇降に伴って、上側把持部１１１と下側把持部１１２が開閉動作を行う際に、支障のない範囲内であれば特に限定されない。
【００３７】
尚、連結部１４２は、当該連結部１４２が回動可能となる様に、第３軸着部（図示しない）を介して外筒部本体１４１と連結されていてもよい。これにより、外筒部１４の軸部１７に対する上下の昇降を、一層スムーズに行うことができる。
【００３８】
外装部１３１は、図２に示す様に、概略形状が有底の円筒状であって、開口部に向かうに従い内径が漸増した形状を有している。開口部の上端は、第１軸着部１１４を載せるため水平となっている。外装部１３１は、開口部に向かうに従い内径が漸増した末広がりの形状であるので、開口部の近傍においては傾斜面を有している。これにより、第２軸着部１１５は、第１軸着部１１４の回動の高さ位置が不変であっても、外筒部本体１４１が下降したときは、上側把持部１１１の基端部に連結された第２軸着部１１５が、図２に示している水平状態から、傾斜面に当接するまで下降することができる。外装部１３１の下端は、上述の通り、外装部１３１の底を閉塞する底部を有する。外装部１３１は、外筒部１４の昇降を阻害しないように軸部１７に固定されている。その固定手段としては特に限定されない。
【００３９】
外装部１３１の大きさは、特に限定されず、適宜諸条件に合わせて設定することができる。例えば、外装部１３１の開口部の上端は、第１軸着部１１４を載せることができる程度の幅を有していることが好ましい。
【００４０】
外装部１３１の材質や厚みは特に限定されないが、当該外装部１３１が、アーム部１１の全重量を確実に支えることができ、かつ、突出部１３５にかかる外筒部１４の全重量を、係止部材１３３によって受け止めることができる程度の機械的強度を有するものが好ましい。
【００４１】
また、外装部１３１の周側面には、長方形状に開口し、かつ外筒部１４の昇降方向に延在する一対のガイドスリット１３２が設けられている。このガイドスリット１３２は、突出部１３５が外装部１３１から突出できるように、当該突出部１３５に対応して２箇所設けられている。また、突出部１３５が１箇所の場合は、ガイドスリット１３２は１箇所設けられていてもよい。これにより、外筒部１４は、突出部１３５を外装部１３１のガイドスリット１３２から突出させた状態で、上下に昇降可能になる。ガイドスリット１３２の開口範囲及び開口形状は、少なくとも突出部１３５を突出させ、かつ、突出部１３５が移動できる範囲であれば特に限定されない。なお、突出部１３５が、ガイドスリット１３２を介して、外装部１３１から表出するように設けることにより、外部から視認できない外筒部本体１４１の昇降の動きを把握することができる。
【００４２】
また、外装部１３１の側周面における一対のガイドスリット１３２の近傍には、突出部１３５を係止するために、湾曲した矩形状の板状部材からなる係止部材１３３が、それぞれ設けられている（図５参照）。より詳細には、ガイドスリット１３２の側部の近傍にスライド用開口部１３７が設けられており、当該スライド用開口部１３７はガイドスリット１３２と連結して開口している。また、スライド用開口部１３７は、係止部材１３３に対応して矩形状の開口形状を有している。さらに、スライド用開口部１３７の上端及び下端には、それぞれレール部材が設けられている。一方、係止部材１３３の裏面（外装部１３１と接する側）には段差部１３６が設けられており、当該段差部１３６の上端及び下端には、前記レール部材とスライド可能に係合するスライダがそれぞれ設けられている。これにより、係止部材１３３は、ガイドスリット１３２の延在方向に直交する左右方向に滑動することができる。係止部材１３３及びスライド用開口部１３７の形成位置は、外筒部１４の上下方向への昇降に伴って、上側把持部１１１と下側把持部１１２が開閉動作を行う際に、支障がでない範囲内であれば特に限定されない。
【００４３】
尚、本実施の形態の係止部材１３３は、図５に示す様に、湾曲した矩形状を有しているが、本発明はこれに限定されず任意の形状でよい。また、係止部材１３３の大きさは、突出部１３５を係止させることができる程度であれば特に限定されない。さらに、係止部材１３３は、突出部１３５にかかる重量を受け止めることができる機械的強度を有していることが好ましい。
【００４４】
また、係止部材１３３としては、例えば、スライド用開口部１３７と嵌合可能であり、かつ、上端及び下端に、前記レール部材と係合するスライダがそれぞれ設けられた態様の係止部材であってもよい。
【００４５】
外装部１３１の上部にはカバー部材１５が設けられており、これにより外筒部１４は外装部１３１の内部に収容された構成となっている。カバー部材１５には、図１に示す様に、アーム部１１に対応して、当該アーム部と同数の窓１５１が設けられている。そして、各々の窓１５１からアーム部１１がそれぞれ延出している。窓１５１の開口面積は、１つのアーム部１１が延出できる程度であれば十分である。
【００４６】
次に、図４を参照しながら、アーム部１１における、上側把持部１１１と下側把持部１１２が、第１軸着部１１４を中心として互いに接離する開閉動作の仕組みについて説明する。先ず、図４（ａ）に示す様に、外筒部本体１４１が軸部１７に対し相対的に上昇した状態にあり、第２軸着部１１５が第１軸着部１１４と同じ高さ位置にある場合、当該第１軸着部１１４に軸支された上側把持部１１１は下側把持部１１２と接触している。これにより、アーム部１１を閉じた状態にする。その結果、洗濯物等を、上側把持部１１１と下側把持部１１２の間に挟持することができ、その脱落の防止が図れる。
【００４７】
次に、図４（ｂ）に示す様に、外筒部本体１４１が軸部１７に対し相対的に下降すると、連結部１４２を介して当該外筒部本体１４１に連結された第２軸着部１１５もこれに応じて下降する。第１軸着部１１４の高さ位置は不変なので、これにより第２軸着部１１５の高さ位置は、第１軸着部１１４よりも低くなる。ここで、上側把持部１１１は、第１軸着部１１４の回動軸１１６に軸支されているので、当該上側把持部１１１の先端部は、第１軸着部１１４に対する第２軸着部１１５の高さ位置の相対的な下降に応じて上昇する。これにより、上側把持部１１１は下側把持部１１２から離間し、アーム部１１を開いた状態にする。その結果、従来の物掛け具と比較して、アーム部１１への洗濯物等の掛け外しを容易に行うことができ、作業効率の向上が図れる。
【００４８】
尚、第１軸着部１１４の（回動の）高さ位置は不変であるが、外筒部本体１４１の下降に応じて第２軸着部１１５が下降する結果、当該第１軸着部１１４は、アーム部１１が閉じている状態と比較して、軸部１７に向かって水平方向に移動する。また、外筒部本体１４１の上昇に応じて第２軸着部１１５が上昇する場合、第１軸着部１１４は、アーム部１１が開いている状態と比較して、軸部１７から離れる方向に水平に移動する。
【００４９】
次に、外筒部１４の昇降が係止部材１３３により規制される仕組みについて、外筒部１４が自重により下降する場合を例にして以下に説明する。この場合、外筒部１４は外力が加えられなくても軸部１７に対し相対的に下降するので、これに連動して、上側把持部１１１は下側把持部１１２から離間し、アーム部１１は開いた状態となる。
【００５０】
図５（ａ）に示すように、係止部材１３３がスライド用開口部１３７に収容される様に位置している場合、突出部１３５は当該係止部材１３３に係止されることなくガイドスリット１３２での移動が可能になっている。従って、外筒部１４は、軸部１７に対し規制されることなく昇降することができる。
【００５１】
次に、図５（ｂ）に示すように、係止部材１３３を、スライド用開口部１３７に収容されている位置からガイドスリット１３２を閉塞させる位置に滑動（スライド）させると、下降しようとする突出部１３５は当該係止部材１３３により係止される。これにより、外筒部１４の軸部１７に対する下降が規制される。その結果、上側把持部１１１と下側把持部１１２が接触して閉じている状態を維持することができる。
【００５２】
一方、外筒部１４に外力が加えられていない状態のときに、各アーム部１１における上側把持部１１１の自重等により、当該上側把持部１１１と下側把持部１１２が閉状態となるような場合には、突出部１３５が上昇するのを係止部材１３３で係止することにより、外筒部１４の軸部１７に対する上昇を規制する様にしてもよい。これにより、上側把持部１１１が下側把持部１１２から離間して開いている状態を維持することができる。
【００５３】
物掛け具１の製造方法は特に限定されず、例えば、アーム部１１、本体部１３、カバー部材１５、軸部１７、支持台２１、フック部２３の各構成部品を成形した後、ねじや接着剤等で組み立てることにより製造可能である。
【００５４】
物掛け具１を構成する各部材の材質は、同種であってもよく、異種であってもよい。各部材の材質は、使用条件等に応じて、物掛け具１としての機械的強度を維持することが可能なものであれば、特に限定されない。例えば、洗濯物の物掛け具１の場合では、軽くて機械的強度が高く、水分によって錆びない、合成樹脂や金属等が好ましい。
【００５５】
本実施の形態の物掛け具１は、物を直接干す全てのアーム部１１が、上側把持部１１１と下側把持部１１２が同時に開閉するため、物を掛けたり取り外したりするのが非常に便利である。実施の形態の物掛け具１は、例えば、洗濯物及び染色された織物等の物掛け具に用いることができる。
【符号の説明】
【００５６】
１  物掛け具
１１  アーム部
１１１  上側把持部
１１２  下側把持部
１１３  脱落防止部材
１１４  第１軸着部
１１５  第２軸着部
１１６  回動軸
１３  本体部
１３１  外装部
１３２  ガイドスリット
１３３  係止部材
１３５  突出部
１３６  段差部
１３７  スライド用開口部
１４  外筒部
１４１  外筒部本体
１４２  連結部
１５  カバー部材
１５１  窓
１７  軸部
１７１  上側軸部
１７２  下側軸部
１７３  境界
２１  支持台
２３  フック部
２３１  滑り止め部材    
【要約】
【課題】  洗濯物等を短時間で簡便に掛け外しすることができ、作業効率に優れた物掛け具を提供することを目的とする。
【解決手段】  本体部と、本体部の軸心を中心に放射方向に展開した、本体部に回動可能に連結されたアーム部を有する物掛け具であって、アーム部は、上側把持部と、下側把持部と、上側把持部及び下側把持部を、共通の回動軸で相対回動可能に軸支された、少なくとも回動の高さ位置が不変の第１軸着部とを備え、かつ、第１軸着部を中心として上側把持部と下側把持部を互いに接離させる開閉動作を行うものであり、本体部は、長尺の軸部と、軸部に対し上下に昇降可能に外嵌された筒状の外筒部とを備えるものであり、外筒部は、上側把持部が回動自在となる様に、上側把持部の基端部に連結された第２軸着部を有している。
【選択図】  図１【図１】
0006030797.tif 000002
【図２】
0006030797.tif 000003
【図３】
0006030797.tif 000004
【図４】
0006030797.tif 000005
【図５】
0006030797.tif 000006